(57)【要約】      （修正有）【課題】鉛筆などの比較的長い文房具と消しゴム・付箋紙・ゼムクリップなどの小物の文房具を一つの文具に保管できるとともに、写真などを机上に飾ることができる鉛筆立てを提供する。【解決手段】鉛筆立ての外側に、消しゴムなどの小物入れ用のポケットを設けた鉛筆立てとする。鉛筆立ての外壁を透明、あるいは網目状の素材とし、外壁に写真やカレンダーなどが挿入でき外から見ることができるようにする。【選択図】図１
0003202915.tif 000002
【実用新案登録請求の範囲】
【請求項１】
鉛筆立ての外壁（含む網目状・柵状の外壁）の外側の全部或は一部に、鉛筆立てよりも浅く小物入れ用の空間（小物入れポケット）を確保する外壁（含む網目状・柵状の外壁）を持つ鉛筆立て。
【請求項２】
鉛筆立ての外壁の全部或は一部を二重構造とし、或は鉛筆立ての外壁の全部或は一部に枠を設けて、写真やカレンダーなどが挿入できる空間（写真入れ）を確保し、挿入した写真やカレンダーなどが遮蔽されることなく外から見ることができる鉛筆立て。
【考案の詳細な説明】
【技術分野】
【０００１】  本考案は、鉛筆立ての外側に、消しゴム・付箋紙・ゼムクリップなど小物を格納する空間（小物ポッケト）を設けた鉛筆立て、また写真やカレンダーなどを格納・表示する空間（写真入れ）をもつ鉛筆立てである。
【背景技術】
【０００２】  鉛筆・ボールペンなど整理して保管する文具用品である鉛筆立ては、円筒形、四角柱形など様々な形状のものが商品化されている。鉛筆立ては、鉛筆・ボールペンなど一定以上の長さを持つ文房具を保管し取り出すもので、中に隠れてしまう消しゴムや付箋紙、ゼムクリップなどは保管には適さない。【０００３】  机の上に、写真を飾りたい場合やカレンダーを置きたい場合は、写真立てに写真を入れて飾る、或は卓上用カレンダーを置くことが必要である。
【考案の概要】
【考案が解決しようとする課題】
【０００４】  鉛筆・ボールペンなど鉛筆立ての深さより長いものは、鉛筆立てに格納して容易に取り出すことが出来る。半面、消しゴム・付箋紙・ゼムクリップなどの小物は、鉛筆・ボールペンなどの筆記具と同時に使用されるにもかかわらず、鉛筆立てに入れると取り出すのが手間になり別の容器に保管するか、離れた場所に散乱する状態で置いておくことになる。本考案は上記課題を、鉛筆・ボールペンなど鉛筆立てに格納するものと、消しゴム・付箋紙・ゼムクリップなどの小物を、１つの文具（筺体）で保管できるよう鉛筆立ての外側に小物入れ用のポケットを設けることで解決するものである。【０００５】  写真を机上に飾る場合は写真立てを机上に置く、またカレンダーが必要な場合は卓上用カレンダーを机上に置くなどで机上が乱雑になり、且つ机上の作業エリアも圧迫される。本考案は、鉛筆立ての外壁に写真やカレンダーが挿入できて外から見ることができる空間を確保して、鉛筆立て一つあれば、写真立てや卓上カレンダーを置かなくても写真を飾り、カレンダーを見ることを可能にするものである。
【課題を解決するための手段】
【０００６】  本考案は、上記目的を達成するために、従来の鉛筆立ての外側に、鉛筆立てよりも浅い小物入れ用のポケットを設けて筆記用具など鉛筆立てに入れる文房具と、消しゴムなど小物入れを１つの文具（筺体）に保管するようにする。【０００７】  本考案は、また、鉛筆立ての外壁の全部または一部を二重構造にして間に写真やカレンダーが挿入できる空間を設けて、最も外側の壁を透明、半透明、網状にするなどし、挿入した写真やカレンダーを見ることが出来るようにする。
【考案の効果】
【０００８】  本考案の鉛筆立てでは、鉛筆・ボールペンなどの筆記用具、消しゴム・付箋紙・ゼムクリップなどの小物文房具、写真、カレンダーが１つの文具（筺体）に納められ机上の整頓・机上の作業空間の圧迫の解消ができる。
【図面の簡単な説明】
【０００９】
【図１】  本考案の小物ポッケト付きの立体図
【図２】  本考案の小物ポッケト付きの平面図
【図３】  本考案の小物ポッケト付きの側面図
【図４】  本考案の写真入れ付の立体図
【図５】  本考案の写真入れ付の平面図
【考案を実施するための形態】
【００１０】  筒状や角柱形などの鉛筆立ての外壁の全部或は一部を、消しゴムなどの小物が格納できる幅を持たせ且つ深さが鉛筆立てより浅い空間を確保する外壁で囲むことにより、小物を格納できるようにする。
【００１１】  筒状や角柱形などの鉛筆立ての外壁の全部或は一部を二重構造にし、写真やカレンダーを挿入し固定でき、且つ写真やカレンダーが見えるように透明、或は半透明、或は網状の外壁、或は写真を固定する外枠を持つことで鉛筆立ての外側に写真を飾る、或はカレンダーを置くことを可能とする。
【実施例】
【００１２】  以下添付図面に従って実施例を説明する。図１は、底面が正方形の角柱形の鉛筆立て１の外側に底面が正方形の小物入れの外枠筺体２を持つ鉛筆立ての立体図である。格納例として、鉛筆立て１の鉛筆などを格納する空間１ａに鉛筆３を納め、小物入れの外枠筺体２内の小物用を格納する空間（小物入れポケット２ａ）にゼムクリップ４を納めている。小物入れの外枠筺体２の底面の１辺の長さは、鉛筆立て１の底面の１辺の長さより長い。また、小物入れの外枠筺体２の高さは、鉛筆立て１の高さより低い。これにより、鉛筆立て１の外壁から、小物入れの外枠筺体２の外壁までのスペースが小物を格納する空間（小物入れポケット２ａ）となる。【００１３】  図２は、図１の平面図である。鉛筆立て１の外壁と小物入れの外枠筺体２の外壁までの空間が小物入れポケット２ａとなる。格納例の鉛筆３、は鉛筆入れ１の鉛筆などを格納する空間１ａに納められ、ゼムクリップ４は小物入れポケット２ａに納められている。【００１４】  図３は、図１の平面図である。鉛筆立て１の外壁と小物入れの外枠筺体２の外壁までの空間が小物入れポケット２ａとなる。格納例の鉛筆３、は鉛筆入れ１の鉛筆などを格納する空間１ａに納められ、ゼムクリップ４は小物入れポケット２ａに納められている。【００１５】  図４は、写真入れを持つ角柱形の鉛筆立ての立体図である。角柱形の鉛筆立て５は、壁面５ａ、壁面５ｂ、壁面５ｃ、壁面５ｄを外壁とし、鉛筆などを格納する空間６を確保する。壁面５ａの外側に壁面５ｅを取り付ける。壁面５ａと５ｅの間に写真入れの空間を確保する。壁面５ｅは、透明、半透明、網状とし写真を見ることを可能とする。或は、壁面５ｅは枠のみとして写真を格納し見ることを可能とする。【００１６】  図５は、写真入れを持つ角柱形の鉛筆立ての平面図である。角柱形の鉛筆立て５は、壁面５ａ、壁面５ｂ、壁面５ｃ、壁面５ｄを外壁とし、鉛筆などを格納する空間６を確保する。壁面５ａの外側に壁面５ｅを取り付ける。壁面５ａと５ｅの間に写真入れの空間を確保する。
【符号の説明】
【００１７】  １    底面が正方形の鉛筆立て
１ａ  底面が正方形の鉛筆立ての鉛筆を立てる空間
２    小物入れの外枠筺体
２ａ  小物入れポケット
３    鉛筆
４    ゼムクリップ
５    写真入れを持つ底面が四角の鉛筆立て
５ａ  鉛筆立ての外壁
５ｂ  鉛筆立ての外壁
５ｃ  鉛筆立ての外壁
５ｄ  鉛筆立ての外壁
５ｅ  写真入れの外壁（外枠）
６    鉛筆を立てる空間
７    写真を入れる空間
【図１】
0003202915.tif 000003
【図２】
0003202915.tif 000004
【図３】
0003202915.tif 000005
【図４】
0003202915.tif 000006
【図５】
0003202915.tif 000007
【手続補正書】
【提出日】平成27年12月10日(2015.12.10)
【手続補正１】
【補正対象書類名】実用新案登録請求の範囲
【補正対象項目名】全文
【補正方法】変更
【補正の内容】
【実用新案登録請求の範囲】
【請求項１】
鉛筆立ての外壁の外側の全部或は一部に、鉛筆立てよりも浅く小物入れ用の空間を確保する外壁を持つ鉛筆立て。
【請求項２】
鉛筆立ての外壁の全部或は一部を二重壁構造とし内側の外壁と外側の外壁の間に写真やカレンダーなどが挿入できる空間を確保し、外側の外壁を透明な素材にする或は網目状の素材とすることで挿入した写真やカレンダーを見ることが出来る鉛筆立て、或は鉛筆立ての外壁の外側に枠を設けて、写真やカレンダーなどが枠内に挿入でき、挿入した写真やカレンダーなどの枠で覆われていない部分を見ることができる鉛筆立て。